(57)【要約】【課題】デジタル放送コンテンツ再生装置において、受信不良時に記録された場合のコンテンツ一覧を見やすくし、かつ、不完全なコンテンツ削除を簡単に行えるようにする。【解決手段】コンテンツ品質判定部９０は記録されたコンテンツが受信不良による破損箇所を多く含む不完全コンテンツか、そうでない良好コンテンツかを判定する。プレイリスト管理部１００は不完全コンテンツと良好コンテンツとを区別して管理し、良好コンテンツのみを一覧表示、もしくは、不完全コンテンツのみを一覧表示する。また、プレイリスト管理部１００は破損箇所の多いコンテンツのみを一括削除する機能を有する。【選択図】図１
2010093602.tif 000002
【特許請求の範囲】
【請求項１】
記録したデジタル放送コンテンツを再生するデジタル放送コンテンツ再生装置であって、
前記コンテンツが受信不良による破損箇所を多く含む不完全コンテンツであるか、それ以外の良好コンテンツかを判定するコンテンツ品質判定部と、
前記コンテンツ品質判定部によって判定された不完全コンテンツと良好コンテンツとを区別して管理し、良好コンテンツのみ、及び不完全コンテンツのみを夫々一覧表示する機能を有するプレイリスト管理部と、を具備するデジタル放送コンテンツ再生装置。
【請求項２】
請求項１に記載のデジタル放送コンテンツ再生装置であって、
デジタル放送を受信するデジタル放送受信部と、
前記デジタル放送受信部によって受信したデジタル放送コンテンツを記録するコンテンツ格納部と、
デジタル放送コンテンツの記録時に前記デジタル放送受信部による受信が不良となった場合に記録を一時中断し受信不良から復帰した場合に一時中断を解除すると共に、受信不良の度合いを記録する記録制御部と、を更に具備し、
前記コンテンツ品質判定部は、記録した受信不良の度合いによって品質を判定するデジタル放送コンテンツ再生装置。
【請求項３】
請求項２に記載のデジタル放送コンテンツ再生装置であって、
前記記録制御部は、コンテンツの総時間に対して一時中断した時間の比率である受信不良率、及び一時中断した時間である受信不良箇所情報の少なくとも一方を記録するものであり、
前記コンテンツ品質判定部は、記録した受信不良率または受信不良箇所によって品質を判定するデジタル放送コンテンツ再生装置。
【請求項４】
請求項１〜３のいずれか１項に記載のデジタル放送コンテンツ再生装置であって、
前記プレイリスト管理部は、不完全コンテンツのみを一括で削除する機能を有するデジタル放送コンテンツ再生装置。
【請求項５】
請求項１〜３のいずれか１項に記載のデジタル放送コンテンツ再生装置であって、
前記プレイリスト管理部は、良好コンテンツと不完全コンテンツを夫々異なるソート方法によってソートし、一覧表示する機能を有するデジタル放送コンテンツ再生装置。
【請求項６】
請求項３に記載のデジタル放送コンテンツ再生装置であって、
前記プレイリスト管理部は、不完全コンテンツを一覧表示する際に各コンテンツの記録開始時刻、録画時間、及び受信不良率の少なくとも１つを表示し、良好コンテンツを一覧表示する際に各コンテンツの記録開始時刻、録画時間のいずれかを表示する機能を有するデジタル放送コンテンツ再生装置。
【請求項７】
請求項３に記載のデジタル放送コンテンツ再生装置であって、
前記プレイリスト管理部は、不完全コンテンツについて指定されたコンテンツの消去、全コンテンツの消去、プロテクト及び不良箇所の確認の少なくとも１つの機能を提供し、良好コンテンツについて指定されたコンテンツの消去、全コンテンツの消去、及びプロテクトの少なくとも１つの機能を提供するデジタル放送コンテンツ再生装置。
【請求項８】
請求項７に記載のデジタル放送コンテンツ再生装置であって、
前記プレイリスト管理部は、不完全コンテンツについて破損箇所を検索し、視覚的に提示する機能を有するデジタル放送コンテンツ再生装置。
【発明の詳細な説明】
【技術分野】
【０００１】
本発明は、受信したデジタル放送コンテンツを再生するデジタル放送コンテンツ再生装置に係るものである。
【背景技術】
【０００２】
映像、音声、テキスト、及び管理情報などから成るコンテンツをデジタルストリームとして提供するデジタル放送が順次実用化されている。例えば、ＢＳデジタル放送及びＣＳデジタル放送に加え、地上デジタル放送が開始されている。また、携帯端末で受信するための専用放送として帯域が限定されたワンセグ放送も開始され、移動しながらの視聴や内蔵メモリあるいはメモリカードへの録画なども可能となってきている。
【０００３】
デジタル放送では、アナログ放送と比較して、映像、音声の再生劣化が少ないＯＦＤＭ（Orthogonal Frequency Division Multiplexing）変調方式が採用されており、安定して受信することができる。しかし携帯端末で受信する場合には、トンネル内や高層ビルの谷間で受信したり、受信エリアを越えた場合には電波が悪化し、それに伴い映像、音声共に劣化することもある。この場合、録画を行ったとしても破損箇所ばかりでほとんど記録できなかったり、再生時に映像、音声が乱れるという可能性もある。とくに予約録画を実行する場合には、ユーザーは良好な受信状態のもとで録画できたかどうかを把握していないことが多いため、録画終了後に再生するまでコンテンツに破損箇所がないかどうかを確認することができなかった。
【０００４】
そこで特許文献１には、記録したコンテンツ毎に受信状態を記憶管理し、再生する場合のコンテンツ一覧表示の際には、各コンテンツのタイトルの先頭に受信状態に応じたアイコンを表示するという手法が示されている。
【特許文献１】特開２００８−１６９８４号
【発明の開示】
【発明が解決しようとする課題】
【０００５】
しかしながら、上記手法を用いた場合においても、受信不良時に記録したコンテンツが増えていった場合にはコンテンツ一覧を表示した際の確認がしづらい。図１１は上記手法によってコンテンツ一覧を表示した例であり、とくに録画日時順に並べた場合を示している。このように表示すると、受信不良による破損箇所の多いコンテンツとそうでないコンテンツがバラバラに入り乱れてしまい、ユーザーによるコンテンツ選択の判断がつきにくい。なお、不完全な度合いによって並べ替えることもできる。しかしその場合には、例えば連続ドラマのようなコンテンツでは順番が逆転してしまうと、ますますコンテンツ選択の判断がつきにくくなってしまう。また、更に記録コンテンツが増えると一画面内にすべてを表示することができない。そのため、画面をスクロールしたり画面を切り替える必要があり、コンテンツを探すのが困難になる。更には、破損箇所の多い不要なコンテンツを探して削除する場合にも手間がかかるという欠点があった。
【０００６】
本発明は、かかる点に鑑みてなされたものであり、その目的とするところは、特に持ち運び可能なデジタル放送コンテンツ再生装置において、受信不良の状態で記録した破損箇所の多いコンテンツと良好な状態で記録した破損箇所の少ないコンテンツとを区別しやすくしたデジタル放送コンテンツ再生装置を提供することを目的とする。
【課題を解決するための手段】
【０００７】
この課題を解決するために、本発明のデジタル放送コンテンツ再生装置は、記録したデジタル放送コンテンツを再生するデジタル放送コンテンツ再生装置であって、前記コンテンツが受信不良による破損箇所を多く含む不完全コンテンツであるか、それ以外の良好コンテンツかを判定するコンテンツ品質判定部と、前記コンテンツ品質判定部によって判定された不完全コンテンツと良好コンテンツとを区別して管理し、良好コンテンツのみ、及び不完全コンテンツのみを夫々一覧表示する機能を有するプレイリスト管理部と、を具備するものである。
【０００８】
このデジタル放送コンテンツ再生装置は、デジタル放送を受信するデジタル放送受信部と、前記デジタル放送受信部によって受信したデジタル放送コンテンツを記録するコンテンツ格納部と、デジタル放送コンテンツの記録時に前記デジタル放送受信部による受信が不良となった場合に記録を一時中断し受信不良から復帰した場合に一時中断を解除すると共に、受信不良の度合いを記録する記録制御部と、を更に具備し、前記コンテンツ品質判定部は、記録した受信不良の度合いによって品質を判定するものである。
【０００９】
このデジタル放送コンテンツ再生装置では、前記記録制御部は、コンテンツの総時間に対して一時中断した時間の比率である受信不良率、及び一時中断した時間である受信不良箇所情報の少なくとも一方を記録するものであり、前記コンテンツ品質判定部は、記録した受信不良率または受信不良箇所によって品質を判定するものである。
【００１０】
このデジタル放送コンテンツ再生装置では、前記プレイリスト管理部は、不完全コンテンツのみを一括で削除する機能を有するものである。
【００１１】
このデジタル放送コンテンツ再生装置では、前記プレイリスト管理部は、良好コンテンツと不完全コンテンツを夫々異なるソート方法によってソートし、一覧表示する機能を有するものである。
【００１２】
このデジタル放送コンテンツ再生装置では、前記プレイリスト管理部は、不完全コンテンツを一覧表示する際に各コンテンツの記録開始時刻、録画時間、及び受信不良率の少なくとも１つを表示し、良好コンテンツを一覧表示する際に各コンテンツの記録開始時刻、録画時間のいずれかを表示する機能を有するものである。
【００１３】
このデジタル放送コンテンツ再生装置では、前記プレイリスト管理部は、不完全コンテンツについて指定されたコンテンツの消去、全コンテンツの消去、プロテクト及び不良箇所の確認の少なくとも１つの機能を提供し、良好コンテンツについて指定されたコンテンツの消去、全コンテンツの消去、及びプロテクトの少なくとも１つの機能を提供するものである。
【００１４】
このデジタル放送コンテンツ再生装置では、前記プレイリスト管理部は、不完全コンテンツについて破損箇所を検索し、視覚的に提示する機能を有するものである。
【発明の効果】
【００１５】
本発明によると、受信不良時に記録した破損箇所の多い不完全コンテンツとそうでない良好コンテンツとを分けて一覧表示することができる。また請求項４の構成によれば、受信不良による破損箇所の多いコンテンツのみを一括して削除することができる。更に請求項５の構成によれば、夫々に最適なソート方法を適用した一覧表示が可能である。請求項６の構成によれば、受信不良率の表示など、夫々に必要な情報のみを表示することが可能である。請求項８の構成によれば、破損箇所の検出とその位置表示など、夫々に必要な機能を別々に提供することができ、再生価値のあるコンテンツを探しやすくなるという効果が得られる。
【発明を実施するための最良の形態】
【００１６】
以下、本発明の実施の形態を図面に基づいて詳細に説明する。以下の好ましい実施の形態の説明は、本質的に例示に過ぎず、本発明、その適用物或いはその用途を制限することを意図するものでは全くない。
【００１７】
図１は、本発明の実施の形態に係るデジタル放送コンテンツ再生装置の構成を示すブロック図である。図１に示すように、このデジタル放送コンテンツ再生装置は、電波受信部１０、ＤＥＭＵＸ（Demultiplexer）２０、バッファ３０、再生制御部４０、出力部５０、操作部６０、記録制御部７０、コンテンツ格納部８０、コンテンツ品質判定部９０、及びプレイリスト管理部１００を備えている。
【００１８】
電波受信部１０は、ホイップ（ロッド）アンテナ、ダイポールアンテナ、八木・宇田アンテナ、パラボラアンテナ、ループアンテナ、誘電体アンテナ等のアンテナを備え、所望の周波数を受信することでデジタル放送波からデジタルデータを抽出する受信部である。このデジタルデータは、所定の規格に準拠して複数のチャンネルの映像データや音声データ等が多重化されており、具体的に、ワンセグ放送を含めた地上デジタル放送の場合にはＭＰＥＧ２−ＴＳ規格に準拠している。
【００１９】
ＤＥＭＵＸ２０は、多重化データから各チャンネルの映像データ、音声データ、ＰＳＩ（Program Specific Information）／ＳＩ（Service Information）、字幕データ等を分離して抽出するものである。例えば地上デジタル放送の場合には、映像データはＭＰＥＧ−２（Moving Picture Experts Group）、音声データはＡＡＣ（Advanced Audio Coding）で圧縮処理されている。また、ワンセグ放送の場合、映像データはＨ．２６４で圧縮処理されている。
【００２０】
バッファ３０は、ＤＥＭＵＸ２０によって分離されたデータを一時的に格納するものであり、具体的には、ＤＲＡＭ（Dynamic Random Access Memory）等の揮発性メモリ、フラッシュメモリ等の不揮発性メモリやハードディスク装置で構成されている。
【００２１】
再生制御部４０は、バッファ３０に格納されたデータを読み出し、読み出されたデータをデコードして映像又は音声として出力するものである。具体的には、ＰＴＳ（Presentation Time Stamp）情報等の時間情報を用いて、映像又は音声データの出力タイミングを計ったり、映像サイズ、音量などの調整を行うように構成されている。ここで電波受信部１０、ＤＥＭＵＸ２０、バッファ３０、及び再生制御部４０はデジタル放送を受信して出力するデジタル放送受信部を構成している。
【００２２】
出力部５０は、再生制御部４０から出力された映像及び音声データをユーザーに提示する画像出力装置と、音声出力装置を含むものである。具体的には、液晶ディスプレイ、有機ＥＬディスプレイ、表面電界ディスプレイ等の画像出力装置や、スピーカ、ヘッドフォン等の音声出力装置によって、映像及び音声をユーザーに提示できるように構成されている。
【００２３】
操作部６０は、ユーザーが所定の入力操作を行うための入力手段であり、チャンネル変更や音量のアップダウン、録画設定、記録したコンテンツの選択等を行うためのものである。具体的には、キーボード、カーソルキー、スティック、トラックボール、ボタン、マウス、リモコン、タッチパネル、音声認識、ジェスチャー認識、ジャイロセンサ等で構成されている。
【００２４】
記録制御部７０は、録画予約された番組の開始時間に記録を開始し、終了時間に記録を停止する。また、ユーザーによる録画開始操作、録画停止操作に従って実行する場合もある。また、電波受信部１０によって受信不良と判断された期間中は記録を一時中断するとともに、そのときの時刻、あるいは該当データのＰＴＳ等の時間情報を記録する。記録制御部７０は、電波受信部１０によって受信された電波のＣＮ比及び／又はビット誤り率に基づいて受信不良を判定する。具体的には、ＣＮ比及び／又はビット誤り率が夫々所定値よりも小さい場合には良好であると判定し、そうでない場合には不良と判定する。また、データ再生に係るデコードエラーの発生状況に基づいて受信の良否を判定してもよい。更に、ＣＮ比、ビット誤り率及びデコードエラーの発生状況を適宜組み合わせて受信の良否を判定してもよい。録画停止の際には、受信不良の度合いを同時に記録する。受信不良の度合いとは、本実施の形態では受信不良率、即ち録画開始からの総時間に対して一時中断した時間の比率を受信不良率とするが、一時中断していない時間の比率を受信成功率として記録してもよいし、時間そのものを例えばｍｓｅｃ単位で記録してもよい。あるいは、例えば録画時間長に関わらず、１分以上の受信不良が発生した場合には１、そうでない場合には０を記録する、というような一律の記録であってもよい。
【００２５】
コンテンツ格納部８０は、番組の録画を行う場合にコンテンツデータを格納する媒体であり、バッファ３０と同様に、ＤＲＡＭ等の揮発性メモリ、フラッシュメモリ等の不揮発性メモリや、ＳＤカード等のメモリカードやハードディスク装置で構成されている。
【００２６】
コンテンツ品質判定部９０は、記録制御部７０によって記録された受信不良の度合いに基づいて破損箇所が多いか否かを判断するものである。具体的には、受信不良率が所定値、例えば１０％よりも小さい場合には破損箇所が少なく良好と判断し、１０％以上の場合には破損箇所が多く不完全と判断するという方法が考えられるが、とくに限定するものではない。
【００２７】
プレイリスト管理部１００は、コンテンツ品質判定部９０によって破損箇所を多く含むと判定された不完全コンテンツとそうでない良好コンテンツを区別して管理するものである。プレイリスト管理部１００は、破損箇所の少ないコンテンツのみを一覧表示したり、もしくは、破損箇所の多いコンテンツのみを一覧表示する機能を有するものとする。更にプレイリスト管理部１００は、不完全コンテンツのみを一括で削除する機能、良好コンテンツと不完全コンテンツを夫々異なるソート方法によってソートし、一覧表示する機能、不完全コンテンツを一覧表示する際に各コンテンツの記録開始時刻、録画時間、及び受信不良率の少なくとも１つを表示し、良好コンテンツを一覧表示する際に各コンテンツの記録開始時刻、録画時間のいずれかを表示する機能、不完全コンテンツについて指定されたコンテンツの消去、全コンテンツの消去、プロテクト及び不良箇所の確認の少なくとも１つの機能、良好コンテンツについて指定されたコンテンツの消去、全コンテンツの消去、及びプロテクトの少なくとも１つの機能、不完全コンテンツについて破損箇所を検索し、視覚的に提示する機能などを有するものとしてもよい。これらの機能については後に詳細に説明する。
【００２８】
次に図を参照しながら本実施の形態のデジタル放送コンテンツ再生装置の動作について説明する。最初に、図２のフローチャートを参照しながら記録制御部７０による予約録画の手順について説明する。まず記録制御部７０は、電波受信部１０に対し、予約された時刻の例えば３０秒前において指定された周波数でチューニングを行い、有意なデータが存在すればそのデータを受信して多重化デジタルデータへ変換するように制御する（Ｓ１１）。その後、予約された時刻への到達を待ち（Ｓ１２）、録画開始とともに録画開始時刻や番組タイトル、コンテンツ番号や暗号化、復号化処理に必要な暗号鍵などのコンテンツ情報をコンテンツ格納部８０に記録する（Ｓ１３）。録画継続中は受信良好かどうかを確認しつづける（Ｓ１４）。受信良好かどうかの確認方法は、例えば、タイマー機能により、２００ｍｓｅｃごとにＣＮ比等を確認するようにしてもよいし、電波受信部１０からの割り込み通知であっても構わない（図示せず）。受信良好であった場合は、コンテンツデータとして多重化デジタルデータのうち必要なもの（パーシャルＴＳ）のみを抽出（Ｓ１５）し、著作権保護のための暗号化が必要であれば暗号化処理を行い（Ｓ１６）、特定のフォーマットに従って必要なデータをコンテンツ格納部８０に記録していく（Ｓ１７）。受信不良と判断した場合、Ｓ１５からＳ１７までの処理を一時的に中断するとともに、不連続区間開始地点、もしくは連続区間完了地点として現在の時刻を示すＰＴＳ等を記録する（Ｓ１８）。次に受信不良から復帰したと判断（Ｓ１９）した場合、不連続区間完了地点、もしくは連続区間開始地点として現在の時刻を記録し、コンテンツデータの記録（Ｓ１５からＳ１７までの処理）を再開する（Ｓ２０）。なお、不連続または連続区間の開始地点及び完了地点の時刻を記録する代わりに、区間の長さ（完了地点と開始地点の時刻の差分）を記録してもよい。予約された時間の完了時刻に到達した場合（Ｓ２１）、録画完了時刻などのコンテンツ情報をコンテンツ格納部８０に記録する（Ｓ２２）。なお、Ｓ１３におけるコンテンツ情報の記録を省略し、Ｓ２２におけるコンテンツ記録処理に集約しても構わない。次に、記録を一時的に中断したトータル時間長、あるいは録画開始からの総時間に対して一時中断した時間の比率を受信不良率として記録する（Ｓ２３）。なお、Ｓ１８、Ｓ２０において不連続区間開始地点及び完了地点を記録しているため、Ｓ２３は必須ではないが、次に説明するプレイリスト表示時の計算処理を省略するうえでも有効である。
【００２９】
次に、図３のフローチャートを参照しながらプレイリスト管理部１００によるコンテンツ再生用プレイリストの生成及び表示方法について説明する。まず、コンテンツ格納部８０に記録されているコンテンツ番号一覧を取得する（Ｓ３１）。次に、夫々のコンテンツ番号に該当するコンテンツの受信不良率を確認し、コンテンツ品質判定部９０によって良好コンテンツか不完全コンテンツかを判定する（Ｓ３２）。受信不良率が例えば１０％未満である場合は良好コンテンツとし、１０％以上の場合は破損箇所が多いため不完全コンテンツとする。Ｓ３２によって良好と判断された場合、該当するコンテンツを良好リストに登録する（Ｓ３３）。破損箇所が多くて不完全だと判断された場合は、該当するコンテンツを不完全リストに登録する（Ｓ３４）。次に、リストに登録された各コンテンツのコンテンツ情報（録画日、チャンネル番号、受信不良率、番組名など）を取得する（Ｓ３５）。次に、取得したコンテンツ情報をもとにソート（並び替え）する（Ｓ３６）。例えば良好リストに登録された良好コンテンツの場合は録画日の古い順、不完全リストに登録された不完全コンテンツは受信不良率の低い順、というようにリストの種類によってソート方法を変えるとなお良い。最後にソートした内容を順に表示する（Ｓ３７）。
【００３０】
次に、図４のフローチャートを参照しながら再生制御部４０によるコンテンツ再生方法について説明する。まず、該当コンテンツのデータファイルを読み出す（Ｓ４１）。読み出す単位は問わないが、例えば暗号化されているサイズ単位で読み出すのが効果的である。次に、該当コンテンツが著作権保護のために暗号化されている場合には復号化処理を行い（Ｓ４２）、復号化したＴＳデータをＤＥＭＵＸ２０によって映像データと音声データ等に分離して抽出する（Ｓ４３）。次に、抽出した映像と音声データに付随するＰＴＳ値が不連続区間に相当するかどうかを確認（Ｓ４４）し、不連続区間であった場合には該当データを破棄する（Ｓ４５）。該当しない場合にはデコード処理を行い（Ｓ４６）、ＰＴＳが示すタイムスタンプの時間まで待機（Ｓ４７）して出力する（Ｓ４８）。ファイル終端に到達した場合には再生を終了し、到達していない場合にはＳ４１に戻って引き続きデータファイルの読み出しを行う。
【００３１】
図５〜図７にプレイリスト生成の具体例を示す。例えば、図５のテーブルに示すようなコンテンツ情報とともに実際のコンテンツが記録されている場合、ステップＳ３２のとおり、夫々の受信不良率を確認すると、１０％未満のものは、コンテンツ番号が１，５，８になる。また、１０％以上のものは、コンテンツ番号が２、４、１３になる。従って、良好リストとして登録するコンテンツ一覧は、図６に示すとおりであり、不完全リストとして登録するコンテンツ一覧は、図７に示すとおりである。
【００３２】
夫々のリストをプレイリスト管理部１００がソートし、表示した例を図８、図９に示す。図８のリスト表示２００は良好リストを録画日の古い順にソートして表示した例である。カーソル２１０を移動させると、該当するコンテンツの録画時間やプレビュー画面２２０を表示する。この例の場合、「連続ドラマ（１）」は良好であるが、「別のドラマ（１）」は良好リストに存在しないことがすぐにわかる。図９のリスト表示３００は不完全リストを受信不良率の低い順にソートして表示した例である。カーソル３１０を移動させると、該当するコンテンツの録画時間やプレビュー画面とともに、受信不良率３２０を表示する。この例の場合、良好リストには存在しなかった「別のドラマ（１）」はほどんど録画できていないことがわかる。尚、受信不良率３２０は良好リスト内のコンテンツに対してはほどんど価値のない情報であるため、図８に示すように良好リストの場合には表示しないようにしてもよい。なお、２種類のリストは操作部６０によって選択可能であってもよいし、良好リストの後に続いて不完全リストを表示するようにしてもよいが、その方法は問わない。
【００３３】
次に不完全リストを選択中にサブメニュー４００を表示した例を図１０に示す。プレイリスト管理部１００はサブメニュー４００のなかから全ビデオファイル消去（４１０）を選択すると、不完全リストに登録された不完全コンテンツのみを全部消去する機能を有する。消去したくないものが含まれている場合には、プロテクトを選択して保護すればよい。また、プレイリスト管理部１００は不良箇所確認（４２０）を選択すると、該当するコンテンツのどの部分が欠落しているのかを検出し、プログレスバー４３０上にて視覚的に確認する機能を有する。欠落部分の検出方法は、具体的にはＳ１８、Ｓ２０において記録している不連続区間開始地点及び完了地点の時刻を確認すればよい。不良箇所確認（４２０）は良好コンテンツに対してはほとんど効果のない機能であるため、良好リストの場合のサブメニューからは省略することができる。
【００３４】
以上、本実施の形態によると、受信不良時に記録した破損箇所の多い不完全コンテンツとそうでない良好コンテンツを分けて一覧表示することができる。更に、夫々に最適なソート方法を適用した一覧表示が可能である。更に、不完全コンテンツについて受信不良率の表示など、夫々に必要な情報のみを表示することが可能である。更に、破損箇所の検出とプログレスバーによる位置表示など、夫々に必要な機能を別々に提供することができ、再生価値のあるコンテンツを探しやすくなる。また、受信不良による破損箇所の多いコンテンツのみを一括して削除することができるようになる。
【００３５】
尚本実施の形態では、電波受信部によって受信したデジタル放送を記録し、再生可能な放送コンテンツ再生装置について説明しているが、本発明は電波受信部を設けることなく既に記録されているコンテンツについて品質を判定してプレイリストを管理するコンテンツ再生装置にも適用することができる。
【産業上の利用可能性】
【００３６】
本発明に係るデジタル放送コンテンツ再生装置は、受信不良の状態で記録した破損箇所の多いコンテンツと、良好な状態で記録した破損箇所の少ないコンテンツとを区別しやすくすることができ、デジタル放送を録画再生可能な持ち運び型のモバイル端末として有用である。
【図面の簡単な説明】
【００３７】
【図１】本発明の実施の形態に係るデジタル放送コンテンツ再生装置の構成を示すブロック図
【図２】本実施の形態に係るデジタル放送コンテンツ再生装置による予約録画処理のフローチャート
【図３】本実施の形態に係るデジタル放送コンテンツ再生装置によるプレイリスト生成及び表示処理のフローチャート
【図４】本実施の形態に係るデジタル放送コンテンツ再生装置によるコンテンツ再生処理のフローチャート
【図５】本実施の形態に係るデジタル放送コンテンツ再生装置によって記録されたコンテンツの管理テーブルの一例
【図６】本実施の形態に係るデジタル放送コンテンツ再生装置によって良好コンテンツとして分類したコンテンツ一覧の例
【図７】本実施の形態に係るデジタル放送コンテンツ再生装置によって不完全コンテンツとして分類したコンテンツ一覧の例
【図８】本実施の形態に係るデジタル放送コンテンツ再生装置によって良好コンテンツとして分類したプレイリスト表示例
【図９】本実施の形態に係るデジタル放送コンテンツ再生装置によって不完全コンテンツとして分類したプレイリスト表示例
【図１０】本実施の形態に係るデジタル放送コンテンツ再生装置によって不完全コンテンツとして分類したプレイリストのサブメニュー表示例
【図１１】従来の携帯端末装置によるプレイリストの表示例
【符号の説明】
【００３８】
１０  電波受信部
２０  ＤＥＭＵＸ
３０  バッファ
４０  再生制御部
５０  出力部
６０  操作部
７０  記録制御部
８０  コンテンツ格納部
９０  コンテンツ品質判定部
１００  プレイリスト管理部
【図１】
2010093602.tif 000003
【図２】
2010093602.tif 000004
【図３】
2010093602.tif 000005
【図４】
2010093602.tif 000006
【図５】
2010093602.tif 000007
【図６】
2010093602.tif 000008
【図７】
2010093602.tif 000009
【図８】
2010093602.tif 000010
【図９】
2010093602.tif 000011
【図１０】
2010093602.tif 000012
【図１１】
2010093602.tif 000013